(57)【要約】  本出願は化粧ポットに関するものであり、そのベースが、本体と、本体に取り付けられたプレス底部（２５）と、プレス底部（２５）に取り付けられ、本体（２０）とプレス底部（２５）との間に位置する可変容積の容器（４０）と、容器（４０）をプレス底部（２５）に押し付けるように構成された容器（４０）を加圧するためのシステム（８０）と、容器（４０）に対してプレス底部（２５）の対向側に配置された製品ディスペンサ（５０）と、を備え、製品ディスペンサ（５０）は、ストッパ（７０）と、使用者に製品を供給し、ストッパ（７０）を開閉するように構成された供給ヘッド（６０）と、ストッパ（７０）を閉じるために供給ヘッド（６０）に作用するように構成された弾性戻り要素（７３）とを備える。
2018538102.tif 000002
【特許請求の範囲】
【請求項１】
ベースを有する化粧ポットであって、ベースは、
底部と底部から延びる側壁とによって形成された本体（２０）と、
底部に平行に本体（２０）に固定され、製品が通過するための開口部（２５ｂ）を備えた、プレス底部（２５）と呼ばれる基準壁と、
本体（２０）の底部とプレス底部（２５）との間で、プレス底部（２５）の一方側に配置され、プレス底部（２５）に取り付けられた可変容積の容器（４０）であって、容器（４０）は、含有する製品の量に応じて可変である容積を有し、且つ、プレス底部（２５）の開口部（２５ｂ）と連通する製品用の出口開口部（４３）を備える、容器（４０）と、
容器（４０）をプレス底部（２５）に向かって圧縮するように構成された容器（４０）の加圧システム（８０）と、
プレス底部（２５）における、容器（４０）が配置された側と反対側に、配置され、且つ、プレス底部（２５）の開口部（２５ｂ）と連通する、製品ディスペンサ（５０）であって、製品ディスペンサ（５０）は、ストッパ（７０）と、ストッパ（７０）を開閉し製品を使用者に供給するように構成された供給ヘッド（６０）と、ストッパ（７０）を閉じるために供給ヘッド（６０）に作用するように構成された弾性リターン部材（７３）と、を備える、製品ディスペンサ（５０）と、
を備え、
製品ディスペンサ（５０）は、ストッパ（７０）が開いて製品が供給される開放構成と、ストッパ（７０）が閉じられている閉鎖構成とをとるように構成され、製品ディスペンサ（５０）は、ストッパ（７０）の開放を引き起こすよう安定した位置から不安定な位置への供給ヘッド（６０）の動きによって閉鎖構成から開放構成に移行し、リターン部材（７３）は、供給ヘッド（６０）を不安定な位置から安定した位置に戻すように構成される、
化粧ポット。
【請求項２】
可変容積を有する容器（４０）が、変形可能なエンベロープであることを特徴とする、請求項１に記載のポット。
【請求項３】
供給ヘッド（６０）が、製品を使用者に供給するための少なくとも１つの供給チャネルを備えることを特徴とする、請求項１または２に記載のポット。
【請求項４】
供給ヘッド（６０）が、穿孔されたカバー（６１）を備えることを特徴とする、請求項１から３のいずれか一項に記載のポット。
【請求項５】
供給ヘッド（６０）が、上面（６１ａ）、製品を供給するように構成された供給プレート（６２）、および供給プレート（６２）の下に製品を分配するように構成された分配プレート（６３）を、順に備えることを特徴とする、請求項１から４のいずれか一項に記載のポット。
【請求項６】
ストッパ（７０）が、
プレス底部（２５）に固定されたクロージャ（７１）と、
供給ヘッド（６０）に連結された上部ネック（７２ａ）、プレス底部（２５）に固定された下部ネック（７２ｂ）、および上部ネック（７２ａ）と下部ネック（７２ｂ）との間に延在する本体（７２ｃ）を含むベローズ（７２）と、
を少なくとも備え、
クロージャ（７１）の少なくとも一部とベローズ（７２）との間に、容器（４０）と供給ヘッド（６０）との間の製品の通過容積が画定される
ことを特徴とする、請求項１から５のいずれか一項に記載のポット。
【請求項７】
製品ディスペンサ（５０）の閉鎖構成において、ベローズ（７２）の上部ネック（７２ａ）は、クロージャ（７１）の一部と接触し、製品ディスペンサ（５０）の開放構成において、ベローズ（７２）の上部ネック（７２ａ）とクロージャ（７１）の前記一部との間に空間が画定され、製品が供給され、製品ディスペンサ（５０）は、ベローズ（７２）の圧縮を引き起こすよう安定した位置から不安定な位置への供給ヘッドの動きによって閉鎖構成から開放構成に移行する
ことを特徴とする、請求項６に記載のポット。
【請求項８】
ストッパ（７０）が、固定部分と、固定部分に対して移動可能な部分とを含み、固定部分はクロージャ（７１）を備え、移動可能な部分はベローズ（７２）、リターン部材（７３）、およびヘッドプレート（７４）を備え、ヘッドプレート（７４）は、供給ヘッド（６０）に連結されると共に、さらにベローズ（７２）の上部ネック（７２ａ）に連結されていることを特徴とする、請求項１から７のいずれか一項に記載のポット。
【請求項９】
容器の加圧システム（８０）が、容器が空になるにつれて容器に一定の力を加えるように構成されていることを特徴とする、請求項１から８のいずれか一項に記載のポット。
【請求項１０】
加圧システム（８０）が、粘弾性発泡体ブロック（８１）を含むことを特徴とする、請求項１から９のいずれか一項に記載のポット。
【請求項１１】
容器（４０）が、容器（４０）の底部およびベースの本体の底部に設けられた補充ポート（４２）を備えることを特徴とする、請求項１から１０のいずれか一項に記載のポット。
【発明の詳細な説明】
【技術分野】
【０００１】
本出願は、ポットの分野、特にクリームを供給するように設計された化粧ポットに関する。
【背景技術】
【０００２】
従来、化粧品用のポットは、広い開口部を有するように、一般にガラスまたはプラスチックのベース、すなわち直径の大きさがベースの断面寸法に近いネック部を設けた容器を含む。ベースは、一般に蓋によって閉じられ、ネック部にねじ込まれることが多い。場合によっては、蓋はさらに、一般に、含有された製品の良好な保存のために閉鎖するためのシーリングを提供する役割を有するシールを備える。
【０００３】
通常、使用者は蓋を開け、指でクリームを集めて蓋を閉じる。このような状態では、クリームは瞬間的に空気にさらされ、指が接触することによって、ポットに残っているクリームを汚染する可能性がさらに高まる。
【０００４】
ポットのシーリングをより確実にし、クリームをより良好に保護するために、ポットにポンプまたは他の装置を設けることが好適であり、これにより、閉じた容器に入れられたクリームを必要量ごとに供給することが可能になる。
【０００５】
例えば、国際公開第２０１４２０８９４５号パンフレットは、製品が槽から出るように穿孔されたプレートで上面が覆われた槽を含むペースト様製品を供給するためのポットについて記載している。槽が徐々に空になるにつれて、プレートは槽内に沈んでいく。クリームはプレートから集められ、少量のクリームのみが空気にさらされ、ポットの中にあるクリームは常にポットの壁とプレートによって空気から保護されている。
【０００６】
しかしながら、プレートが槽内にどれくらいまで沈んだかにかかわらず、使用者がプレートを押すことができるように、ポットは比較的大きな直径を有さなければならないという事実に欠点がある。
【先行技術文献】
【特許文献】
【０００７】
【特許文献１】国際公開第２０１４／２０８９４５号
【発明の概要】
【発明が解決しようとする課題】
【０００８】
本出願は、製品を可能な限り良好に保存し、容易かつ自然な使用者の動きで製品を必要量だけ供給する改善されたポットベースを提供することを目的とする。
【課題を解決するための手段】
【０００９】
この目的のために、第１の態様によれば、ベースを有する化粧ポットが提供され、ベースは、
底部と底部から延びる側壁とによって形成された本体と、
底部に平行に本体に固定され、製品が通過するための開口部を備えた、プレス底部と呼ばれる基準壁と、
本体の底部とプレス底部との間で、プレス底部の一方側に配置され、プレス底部に取り付けられた可変容積の容器であって、容器は、含有する製品の量に応じて可変である容積を有し、且つ、プレス底部の開口部と連通する製品用の出口開口部を備える、容器と、
容器をプレス底部に向かって圧縮するように構成された容器の加圧システムと、
プレス底部における、容器が配置された側と反対側に、配置され、プレス底部の開口部と連通する、製品ディスペンサであって、製品ディスペンサは、ストッパと、ストッパを開閉し製品を使用者に供給するように構成された供給ヘッドと、ストッパを閉じるために供給ヘッドに作用するように構成された弾性リターン部材と、を備える、製品ディスペンサと、
を備え、
製品ディスペンサは、ストッパが開いて製品が供給される開放構成と、ストッパが閉じられている閉鎖構成とをとるように構成され、製品ディスペンサは、ストッパの開放を引き起こすよう安定した位置から不安定な位置への供給ヘッドの動きによって閉鎖構成から開放構成に移行し、リターン部材は、供給ヘッドを不安定な位置から安定した位置に戻すように構成される。
【００１０】
このようなベースは、使用するたびに空気と接触することを避けながら製品を保存することを可能にする。さらに、容器の加圧システムと製品ディスペンサとの協働により、供給ヘッドが移動するたびに必要な量の製品を供給することができる。使用者は、単に供給ヘッドを押すことによって、したがって自然な操作によって製品の供給を制御し、それによって、指で、または必要に応じてスポンジまたはパフのような塗布付属品を使用して、供給ヘッドの表面の製品を必要量だけさらに収集する。
【００１１】
さらに、そのようなベースは、例えば背の高い、狭いなど、異なるタイプの寸法を有することができる。
【００１２】
さらに、そのようなベースは、ポンプを有することを避けることができる。
【００１３】
好ましい実施形態によれば、容器は、変形可能な可撓性エンベロープである。
【００１４】
別の例示的な実施形態によれば、容器は、仏国特許第２８６９７７１号明細書に記載されたタイプのもの、すなわち、その一部が他のものに対して可動である剛性部品から形成された容器である。この容器は、円筒形の槽と、製品が供給されるにつれて徐々に槽内を移動する可動プレートとを備える。この場合、加圧システムは可動プレートに作用する。
【００１５】
任意選択的に、この場合、プレス底部および／またはベースの少なくとも一部を、一体部材として形成することができる。
【００１６】
例示的な実施形態によれば、供給ヘッドは、製品を使用者に供給するための少なくとも１つの供給チャネルを備える。
【００１７】
容器の加圧システム、製品の粘度、および供給ヘッドの１つまたは複数のチャネルの寸法は、製品を供給する流れの速度、すなわち出口速度を容器が空になるにつれて徐々に調節するように協働する。
【００１８】
このような供給チャネルは、供給ヘッド内に形成される。供給チャネルと供給ヘッドの上面との交差部は、供給チャネルの断面を形成する。好適な実施形態では、供給チャネルの断面は、例えば、文字、頭字語、またはロゴを表す。
【００１９】
例示的な実施形態によれば、供給ヘッドは、上面、製品を供給するように構成された供給プレート、および供給プレートの下に製品を分配するように構成された分配プレートを、順に備える。
【００２０】
一般的に言えば、互いに区別される、すなわち２つの部分に分かれた分配プレートと供給プレートとを備える供給ヘッドは、製品を使用者により良好に分配し供給することを可能にする。
【００２１】
この場合、供給ヘッドの上面は、供給プレートの上面である。
【００２２】
例示的な実施形態によれば、供給ヘッドは、穿孔されたカバーを含む。
【００２３】
この場合、供給ヘッドの上面は、穿孔されたカバーの上面である。
【００２４】
例えば、穿孔されたカバーは、天然または合成であり得る織物またはステッチベースの布である。
【００２５】
例えば、穿孔されたカバーは、８０μｍから５００μｍ、好ましくは１００μｍから３００μｍの特徴的なサイズの穿孔を含む。ここでの特徴的な寸法は、考えられる穿孔の性質に従って多角形の直径または辺を指定する。
【００２６】
好適な例示的な実施形態によれば、ストッパは、
プレス底部に固定されたクロージャと、
供給ヘッドに固定された上部ネック、プレス底部に固定された下部ネック、および上部ネックと下部ネックとの間に延在する本体を含むベローズと、
を少なくとも備え、
クロージャの少なくとも一部とベローズとの間に、容器と供給ヘッドとの間の製品の通過容積が画定される。
【００２７】
例示的な実施形態によれば、製品ディスペンサの閉鎖構成において、ベローズの上部ネックは、クロージャの一部と接触し、製品ディスペンサの開放構成において、ベローズの上部ネックとクロージャの前記一部との間には空間が画定され、製品が供給され、製品ディスペンサは、ベローズの圧縮を引き起こすよう安定した位置から不安定な位置への供給ヘッドの動きによって閉鎖構成から開放構成に移行する。
【００２８】
例示的な実施形態によれば、ストッパは、固定部分と、固定部分に対して移動可能な部分とを含み、固定部分はクロージャを含み、移動可能な部分はベローズ、リターン部材、およびヘッドプレートを含み、ヘッドプレートは、供給ヘッドに連結されると共に、さらにベローズの上部ネックに連結される。
【００２９】
例示的な実施形態によれば、容器の加圧システムは、容器が空になるにつれて一定の力を容器に加えるように構成される。
【００３０】
空であるときに容器に加えられる圧力が、満杯になったときに容器に加えられる圧力の７０％、さらには８０％、さらには９０％、さらには９５％、または場合によっては９８％に少なくとも等しい。
【００３１】
本発明による加圧システムは、特に、ベースの底部に空気入口を有することを避けることができる。
【００３２】
例示的な実施形態によれば、加圧システムは、発泡体ブロック、特に粘弾性を有するブロックを含む。
【００３３】
発泡体ブロックの使用により、低圧下での製品の供給を可能にし、「形状記憶」の粘弾性発泡体、すなわち初期形態に戻る発泡体の場合には、製品の全寿命にわたって一定または実質的に一定の流速で製品を供給することが可能である。
【００３４】
変形例によれば、加圧システムは、場合によっては、単独で、または発泡体ブロックと組み合わせて作用する、ばねまたは他の弾性リターン装置を備える。
【００３５】
例えば、ベースは、容器の内部に配置され、プレス底部に取り付けられたリングを備える。
【００３６】
例示的な実施形態では、容器がプレス底部に固定されるように、容器の壁がプレス底部とリングとの間に挟まれている。
【００３７】
例示的な実施形態によれば、容器は、容器の底部およびベースの本体の底部に設けられた補充ポートを備える。
【００３８】
補充ポートは、例えば、容器の初期充填を実施すること、および／または使用者が使用後に製品を補充することを可能にする。
【００３９】
図示されていない例示的な実施形態では、補充ポートおよびプレス底部は、製品の寿命の終わりに容器が完全につぶされるような相補形状を有する。
【００４０】
本発明は、例示的な実施形態に従って、十分に理解され、その利点は、添付の図面を参照するとともに、限定的ではない説明例により与えられた以下の詳細な説明を読めば明らかとされよう。
【図面の簡単な説明】
【００４１】
【図１】本発明の例示的な実施形態による化粧ポットの閉鎖構成の断面図である。
【図２】図１のポットのエンベロープおよび製品ディスペンサの一部の加圧システムの分解図である。
【図３】例示的な実施形態による図１のポットの製品ディスペンサの別の部分の分解図である。
【図４】供給プレートおよび供給ヘッドの分配プレートの実施形態の詳細図である。
【図５】図１のポットの開放構成を示す図である。
【図６】エンベロープが約半分空になったときの図１のポットの閉鎖構成を示す図である。
【発明を実施するための形態】
【００４２】
前述の図に示される同一の部分は、同一の参照番号によって識別される。
【００４３】
本説明は主に丸い輪郭のポットを参照して与えられるが、正方形または任意の輪郭のポットも当然可能である。
【００４４】
実際には、従来、化粧ポット１は、図面に示されたような丸い輪郭であるか、または実質的に正方形であることが多い。
【００４５】
ポット１は、ベース２と、ポット１の開閉を可能にする蓋３とを備える。
【００４６】
蓋３は、ここではキャップ３０によって形成されている。
【００４７】
ポットが使用されていないとき、キャップは製品ディスペンサを覆っている。
【００４８】
キャップ３０は、例えばベース２と同じ形状の輪郭を有する。
【００４９】
キャップの閉鎖は、例えば摩擦により、例えば溝に入る周縁ビードを用いて液密に行われるのが好適である。
【００５０】
ここで、ベースと協働してポットを閉じるために、キャップ３０はベース２のビード２１上にクリップするように構成された溝３１を含む。
【００５１】
一般に、蓋３は、ポット１を閉じるための手段、例えば、ベース２にクリップされる、またはねじ止めされる任意の手段によってベース２に取り付けられてもよく、代わりに、蓋およびベースに１箇所のヒンジが設けられてもよく、別の場所にボタンが設けられてもよい。
【００５２】
ベース２は本体２０を備える。本体２０は、ベースの本体の内部を画定する、底部および底部から延びる側壁によって形成されている。
【００５３】
本体２０は、例えば、プラスチックまたは金属製である。
【００５４】
本体２０は、ここでは、外側ケーシング２２および内側ケーシング２３から形成されている。外側ケーシング２２と内側ケーシング２３とは、ここではねじ２４によって互いに組み立てられている。
【００５５】
しかしながら、本体２０は、単一の部材、例えば、１つの部材を形成する２つのケーシング、または、例えばねじ、接着剤、もしくは任意の組み立て機構によって組み立てられたいくつかの部材によって形成され得る。
【００５６】
ベース２は、ここでは「プレス底部２５」と示される基準壁と呼ばれる壁を備える。
【００５７】
ここで、プレス底部２５は、製品供給部のエンベロープ４０と、後述するエンベロープ４０の加圧システム８０とを覆っている。このために、ここでは、プレス底部２５は、本体２０の内側断面、より詳細には内側ケーシング２３の内側断面の周縁の外側輪郭に沿ったプレートの形態をとる。
【００５８】
プレス底部２５は、本体２０、より詳細には内側ケーシング２３に固定されている。プレス底部２５は、本体の底面に平行に配置されている。
【００５９】
この例示的な実施形態では、プレス底部２５は、本体２０の、特にここでは内側ケーシング２３のリム上に引っ掛けるように構成された突起２５ａを備える。
【００６０】
より具体的には、ここでは、内側ケーシング２３は、プレス底部２５の上方に延在する部分を有し、プレス底部２５を内側ケーシング２３に引っ掛けるために突起２５ａに係合する窓を備える。
【００６１】
ここで、プレス底部２５は、後述するクロージャ７１に位置決めされるピン２５ｃを備える。特に、ピン２５ｃは、ここではクロージャの脚部７１ｂに挿入される。さらに、ピン２５ｃは、ここでは、ねじが挿入されるねじ付きボアを備え、クロージャ７１をプレス底部２５に固定する。
【００６２】
しかしながら、図示されていない別の例によれば、ボアは存在せず、および／またはクロージャ７１は、他の手段、例えばボンディングによってプレス底部２５に取り付けられる。
【００６３】
プレス底部２５はまた、ここではいくつかの窓からなる開口部２５ｂ（図２に見られる）を備える。開口部２５ｂは、エンベロープ４０から製品を排出するための出口開口部４３に面して設けられている。特にここでは、開口部２５ｂは、ピン２５ｃの周りに設けられ、クロージャ７１がプレス底部２５上の定位置にあるときには、クロージャ７１の脚部７１ｂ（後述する）の周りにも設けられる。したがって、エンベロープ４０から出て来る製品は、クロージャ７１の脚部７１ｂの周りを流れることができる。
【００６４】
ベース２はまた、製品供給部のエンベロープ４０を備える。
【００６５】
エンベロープ４０は、ここではベース２の本体２０内に配置されている。より詳細には、本体の底部とプレス底部２５との間にある。
【００６６】
エンベロープ４０は、含有する製品の量に応じて可変容積を有し、後述する加圧システム８０の作用を受けるのが好適である。
【００６７】
エンベロープは、例えば、ここでは、熱溶接された複合体で形成された変形可能なエンベロープである。図面では、エンベロープ４０は、溶接線４１に沿って一緒に組み立てられた２つの半部にある。
【００６８】
エンベロープ４０は、製品用の出口開口部４３（図２に見られる）を含み、含まれた製品がそこを通ってベースから出るように搬送される。
【００６９】
開口部４３は、ここではエンベロープ４０の上部部分に配置されている。
【００７０】
エンベロープをプレス底部２５に取り付けるために、ベースはリング２６を備える。ここでは、リング２６は平坦な環で形成されている。リング２６は、特に、エンベロープ４０の開口部４３を定める円形形状の内側リム２６ａを備える。
【００７１】
リング２６は、プレス底部２５の下方に引っ掛けられ、エンベロープの内側を開口部２５ｂと流体連通する液密状態にする。
【００７２】
このために、プレス底部２５は、ここでは、エンベロープ４０の内部に向かって延び、リングの内側縁部２６ａを把持する突起２５ｄを備える。
【００７３】
さらに、リング２６は、シール２６ｂが配置されたチャネルを備え、プレス底部２５も対応するチャネルを備えるのが好適である。
【００７４】
したがって、エンベロープ４０の溶接を行う前に、エンベロープ４０を製品ディスペンサ５０、例えばリング２６またはさらにはシール２６ｂに接続するための部材もエンベロープ４０に挿入される。
【００７５】
したがって、エンベロープ４０の壁は、リング２６とプレス底部２５との間に挟まれている。
【００７６】
他の構成モードも適している可能性がある。
【００７７】
ベース２には、ここでは、加圧システム８０、エンベロープ４０、およびプレス底部２５の上に配置された、以下のように形成される製品ディスペンサ５０が設けられている。
【００７８】
製品ディスペンサ５０は、ストッパ７０および供給ヘッド６０を備える。
【００７９】
ストッパ７０は、ここでは、ベース２の本体２０に対して固定された部分と、固定部分に対して移動可能な部分とを含む。
【００８０】
固定部分は、図面においてプレート７１ａおよび脚部７１ｂ（例えば図２参照）を示すクロージャ７１を備える。
【００８１】
プレート７１ａと脚部７１ｂは、ここでは一体に形成されているが、それらは互いに組み立てられた２つの異なる部材であってもよい。
【００８２】
ここで、プレート７１ａはディスク状であり、脚部７１ｂは円形断面の円筒形状である。さらに、脚部は、ここでは実質的にディスクの中心に配置されている。
【００８３】
さらに、この例示的な実施形態では、クロージャ７１は、クロージャ７１をプレス底部２５にねじで固定するために、プレート７１ａおよび脚部７１ｂの両方を貫通するボアを備える。
【００８４】
特にここでは、ねじはプレス底部２５のピン２５ｃに形成されたねじ付きボアに挿入される。
【００８５】
移動可能な部分は、ここではベローズ７２（ただし、一方の脚部は固定されている）、リターン部材７３、およびヘッドプレート７４を含んでいる。
【００８６】
ここで、ベローズ７２は、上部ネック７２ａ、下部ネック７２ｂ、および上部ネック７２ａと下部ネック７２ｂとの間に延びる本体７２ｃを備える。
【００８７】
ここで、ベローズ７２は回転対称性を有する。
【００８８】
ベローズ７２は、ここではプレス底部２５とヘッドプレート７４との間に配置されている。
【００８９】
さらに、ベローズ７２は、クロージャ７１を少なくとも部分的に取り囲んでいる。より具体的には、ベローズ７２はクロージャ７１の脚部７１ｂを取り囲んでいる。
【００９０】
したがって、ベローズ７２とクロージャ７１との間に、エンベロープ４０と供給ヘッド６０との間の製品の通過容積が画定される。
【００９１】
上部ネック７２ａは、ヘッドプレート７４に固定されている。このために、この例示的な実施形態では、ベローズ７２は、上部溝７２ｄと呼ばれる溝を備え、ヘッドプレート７４は、ハウジング７４ｄの底部に位置するリブ７４ａを備え、リブ７４ａが上部溝７２ｄに挿入され、ヘッドプレート７４の移動によりベローズ７２の圧縮を駆動する。
【００９２】
また、ここでは溝７２ｄは連続し、ベローズ７２の全周にわたって形成されており、リブ７４ａは連続し、ベローズ７２も取り囲んでいる。ただし、リブおよび／またはリブは不連続であってもよい。
【００９３】
下部ネック７２ｂはプレス底部２５に固定されている。より具体的には、下部ネック７２ｂは単にプレス底部２５を支持するだけである。さらに、存在する種々の部材の液密性および位置決めに関する安全性のために、ベローズは下部溝７２ｅと呼ばれる溝を含み、本体２０はリブ２３ａを含み、ケーシング２０のリブ２３ａが下部溝７２ｅに挿入されて、下部ネック７２ｂがケーシング２０に対して所定の位置に保持されるようにする。
【００９４】
より具体的には、この例示的な実施形態では、内側ケーシング２３のうちプレス底部２５の上方に延びる部分がリブ２３ａを構成している。
【００９５】
このようにして、下部ネック７２ｂの一部は、リブ２３ａとプレス底部２５との間に含まれる。
【００９６】
また、ここでは下部溝７２ｅは連続し、ベローズ７２の全周にわたって形成されており、ケーシングのリブ２３ａは連続し、ベローズ７２も取り囲んでいる。ただし、リブおよび／またはリブは不連続であってもよい。
【００９７】
したがって、図１および図６に示すように、ベローズ７２の上部ネック７２ａおよびクロージャ７１、さらにはプレート７１ａが、ストッパ７０が閉じられたときに接触し、図５に示すように、ストッパ７０が開いているときに、その間に空間を画定する。
【００９８】
リターン部材７３は、ヘッドプレート７４とプレス底部２５との間に保持されている。リターン部材７３は、ヘッドプレート７４を不安定な位置から、リブ７４ａおよびベローズの上部ネック７２ａがクロージャ７１に当接する安定した位置に移動させ、それにより、ベローズの上部ネックとクロージャとの間の通路を閉塞するように構成される。安定した位置から出発して、ヘッドプレートは、それ自体と平行に、または斜めに下げられ、それによって上部ネック７２ａとクロージャ７１との間の通路が開く。
【００９９】
リターン部材７３は、例えば、ばね７３であり、この場合はコイルばねである。
【０１００】
リターン部材７３は、ヘッドプレート７４の下に、またプレス底部２５の上に、特にここではプレス底部２５の上方に延在する内側ケーシング２３の部分の上に、軸受関係で保持されている。
【０１０１】
さらに、この例示的な実施形態では、リターン部材７３は、ヘッドプレート７４のリブ７４ａを取り囲み、プレス底部２５の上方に延在する内側ケーシング２３の部分を横切って突出するプレス底部２５の突起２５ａに囲まれている。
【０１０２】
ベローズ７２の上部ネック７２ａがクロージャ７１と接触したとき、すなわちストッパが閉じているとき、リターン部材７３は中立位置にあるか、または圧縮されて、プレス底部２５に対してヘッドプレート７４を押し離すようにする。ストッパが開いているとき、リターン部材７３は、ストッパが閉じているときの位置に対して圧縮されている。
【０１０３】
最後に、ヘッドプレート７４は、主に、円形の中央開口部７４ｃを有するディスク７４ｂを備える。
【０１０４】
ヘッドプレート７４は、ここではディスクに対して実質的に直交して中央開口部７４ｃから延びるハウジング７４ｄをさらに備える。したがって、ハウジング７４ｄはディスク７４ｂに連結され、さらに、ここでは開口部の口を画定するリブ７４ａに連結され、口の断面はハウジングの断面よりも小さい。ハウジング７４ｄは、クロージャ７１のプレート７１ａを受け入れるために設けられている。そのために、プレート７１の直径よりも大きな直径を有し、一方で、リム７４ａによって画定される開口部の直径は、プレートの直径よりも小さい。製品がプレス底部２５の開口部２５ｂからヘッドプレート７４の中央開口部７４ｃに通過することを可能にするために、ベローズの下部ネック７２ａおよび上部ネック７２ｄの内径は、クロージャ７１の脚部７１ｂの直径よりも実質的に大きい。
【０１０５】
最後に、ヘッドプレート７４は、ここではねじ山７４ｆが設けられた周縁外壁７４ｅを備える。
【０１０６】
供給ヘッド６０は、主にプレートの形態をとる。
【０１０７】
さらに、製品が供給ヘッドを通過して使用者に供給されるように穿孔されている。言い換えれば、供給ヘッド６０は、製品を使用者に供給するための少なくとも１つのチャネルを備える。
【０１０８】
供給ヘッド６０は、使用者が指で押し付けるように構成された上面６１ａ、またはスポンジもしくはパフのような付属品を備えて、局所的な圧力を誘発し、供給ヘッドの表面に供給される製品の必要量を集めるように構成される。
【０１０９】
この例示的な実施形態では、供給ヘッドはディスク形状を有し、上面６１ａはドーム状である。
【０１１０】
供給ヘッド６０はまた、その下部に、これらの２つの部材を結合するためにヘッドプレート７４のねじ山７４ｆと協働するように設けられた周縁ねじ山６４を備える。これらの結合手段も適切であり得る。
【０１１１】
図示した例示的な実施形態では、供給ヘッド６０は、ヘッドプレート７４に固定され、周縁リング５１によって取り囲まれている。
【０１１２】
周縁リング５１は、内側に向かって湾曲した形状を有するか、または例えば円錐形である内側表面を備える。
【０１１３】
したがって、周縁リング５１は、供給ヘッド６０が移動されるとき、供給ヘッド６０のためのガイドとして役立つ可能性がある。
【０１１４】
周縁リング５１は、本体２０に固定されており、この場合、内側ケーシング２３に固定されている。この例示的な実施形態では、周縁リングはねじ止めされている。
【０１１５】
また、この例では、周縁リング５１の外面上にベース２のビード２１が形成されている。他の構成モードも適している可能性がある。
【０１１６】
ここに提示された例示的な実施形態では、供給ヘッド６０は、一緒に組み立てられたいくつかの部材を備える。
【０１１７】
この場合の供給ヘッド６０は、上面６１ａから始まり、カバー６１と、供給プレート６２と、分配プレート６３とを備える。
【０１１８】
ここで、カバー６１は上面６１ａを含む。
【０１１９】
カバー６１は、例えば、供給プレート６２に結合されている。
【０１２０】
カバー６１は、好適には穿孔されたカバーである。
【０１２１】
カバー６１は、例えば、織物または天然もしくは合成のステッチベースの布を覆う。ステッチは、例えば、製品の粘度に依存する開口部を有する。これは、例えば、８０から５００マイクロメートル、好ましくは１００から３００マイクロメートル（指標値）のオーダである。穿孔のサイズは、好ましくは、指が通過するとカバーの上面に局所的な圧力を誘発する場合のみ、製品が穿孔を通過するサイズである。
【０１２２】
カバーは、例えば、ベルベットのように、指と接触する際の柔らかさのために選択された材料から作られる可能性がある。
【０１２３】
カバーは、例えば、供給ヘッドがこの例示的な実施形態よりも少ないプレートを含む場合には、供給プレートまたはその隣接プレートに機械的に結合されるか、溶接されるか、または組み立てられる。カバーは、供給プレートと一体であってもよく、すなわち、供給プレートと単一部品を形成することができる。この場合、カバーは供給プレートと同じ材料からなる。
【０１２４】
供給プレート６２は、主に、カバー６１を支える上面を有するディスクと、上面と対向する下面とを備える。
【０１２５】
ディスクは均一な厚さを有することができるが、この場合、ディスクの厚さは可変である。さらに、上面はドーム状になっている。
【０１２６】
さらに、下面はデボス加工されている。
【０１２７】
ここで、供給プレートは周壁をさらに備え、周壁は、下面から突出して延び、ここでは、周壁の内面に形成されたねじ山６４を備える。
【０１２８】
このように、供給プレートは、ヘッドプレート７４にねじ止めされ、したがって、分配プレート６３をサンドイッチ状に保持する。
【０１２９】
また、分配プレート６３は、主に、上面を有するディスクと、上面に対向する下面とを備える。分配プレートのディスクの厚さは、均一であっても可変であってもよい。ここでは、その上面は、分配プレート６３が供給プレート６２と正確に整合するように、供給プレートのデボス加工された構造と相補的な形状のレリーフ構成をさらに含む。
【０１３０】
図３および図４に示すように、供給プレート６２および分配プレート６３は、製品をエンベロープ４０から供給ヘッド６０の上面に運ぶように構成された貫通チャネル６２ａおよび６３ａをそれぞれ備える。
【０１３１】
特に、この実施形態では、供給プレートのチャネル６２ａは、製品を供給するように構成され、分配プレートのチャネル６３ａは、供給プレートの供給チャネルに向かって製品を分配するように構成される。
【０１３２】
その目的のために、分配チャネルは、供給チャネルよりも広い可能性がある。
【０１３３】
図３は、プレートの中心に向かって集中した直線かつ平行のチャネルを示している。これに限定されるものではなく、穿孔の他の配置も適切であり得る。例えば、チャネルは、円弧の形態を有し、プレートの周縁に向かって配置されてもよく、代わりに、局所的に集中した個々の穿孔であってもよく、またはプレートの全面に広がっていてもよい。別の可能性は、穿孔が、例えばブランドの形状、文字またはロゴを表すように配置されることである。
【０１３４】
カバーの位置では、例えば、外観の変化または着色されたマークのような特徴的な表示が提供されてもよく、これは、消費者に、製品が供給される位置を示し、供給ヘッド６０を下げるためにその位置を押すことを促し、それによってストッパ７１とベローズの上部ネック７２ａとの間の通路を開く。
【０１３５】
図示されていない別の例示的な実施形態によれば、供給ヘッドは、その製造時にチャネルが形成される単一のプレートのみを備え、この場合、カバーは、例えば、供給ヘッドの上面層である。
【０１３６】
例えば、供給プレートおよび分配プレートは、例えば二重射出成形によって一体として形成される。
【０１３７】
別の可能性は、分配プレート６３が、供給プレート６２に向かってのみ開いているチャネルのネットワークと、製品がチャネルのネットワークに供給される下部中央オリフィスとを有することである。言い換えると、チャネルは、分配プレートの厚さの一部の中で中空にされているだけであり、分配プレートの残りの厚さを通過するウェル、オリフィスによってすべて供給される。
【０１３８】
この例示的な実施形態では、ハウジング７４ｄ、リブ７４ａ、および分配プレート６３は、それらの間に容積部６５を画定し、容積部６５では、分配プレート６３のチャネルに浸透する前にエンベロープから来る製品を流し、次に供給プレート６２のチャネルに流入させることができる。
【０１３９】
さらに、この容積部６５内には、ベローズ７２の上部ネック７２ａおよびクロージャ７１の少なくとも一部、特に少なくともプレート７１ａが配置されている。
【０１４０】
静止している、すなわち、供給ヘッド上の安定した位置において、分配プレート６３とプレート７１ａとの間には、供給されるべき製品のために動くときに供給ヘッドによって移動される距離に少なくとも等しい空間が存在する。
【０１４１】
最後に、ベース２は、エンベロープ４０を加圧するように構成されたエンベロープ４０の加圧システム８０を備える。加圧システム８０は、ここではエンベロープ４０の下に配置されている。
【０１４２】
言い換えれば、エンベロープ４０は、ここでは製品ディスペンサ５０と加圧システム８０との間に配置されている。
【０１４３】
このように、エンベロープは、加圧システム８０によって加圧され、エンベロープが徐々に空になり、加圧システムが膨張するにつれて実質的に一定の力を生じる。それにより、プレス底部２５を形成する壁に対してエンベロープを押す。
【０１４４】
好適には、加圧システム８０は発泡体ブロック８１を備える。エンベロープ４０が製品で満たされるとブロックは圧縮され、エンベロープが空になるにつれて徐々に膨張する。
【０１４５】
発泡体は任意の適切な性質のものであり、例えば密度が１７から２５ｋｇ／ｍ３であるポリエーテル発泡体、または密度が３５から５５ｋｇ／ｍ３であるポリウレタン発泡体である。
【０１４６】
粘弾性特性を有する発泡体、例えば５５から９０ｋｇ／ｍ３の密度を有する粘弾性発泡体も適している可能性がある。
【０１４７】
このような発泡体の特性は、エンベロープに低圧を加えることであり、この圧力は、ブロックの圧縮度がどのようであっても、つまりエンベロープの空の程度がどのようであっても実質的に一定であり、形状記憶、すなわち初期形状を回復する能力を有する。
【０１４８】
最後に、エンベロープ４０は、充填するために、および製品を補充する必要がある位置に、補充バルブと呼ばれるバルブを備えた補充ポート４２を有する。
【０１４９】
補充ポート４２が存在する場合、加圧システム８０は、好適には、加圧システムへのアクセスを可能にする通路を備える。この場合、発泡体ブロック８１は、例えば穴８２を有する。
【０１５０】
ここで、補充ポートは、エンベロープ４０の内側に位置する内側部材４２ａと、エンベロープ４０の外側に位置する外側部材４２ｂとを備える。
【０１５１】
内側部材４２ａと外側部材４２ｂとの間に、エンベロープ４０の壁を挟み込んで互いに引っ掛けられている。このために、エンベロープは、例えば、既に説明した開口部４３とは別個の、好適にはエンベロープの底部に配置された開口部を備える。例えば、外側部材４２ｂは、エンベロープ内に延びる突起４２ｃと、その目的のために設けられた内側部材４２ａの開口部内のグリップとを備える。
【０１５２】
補充ポート４２は、プレートと脚部とを有する可動クロージャ４２ｄを備え、プレートはエンベロープ内に配置され、脚部はエンベロープから延びている。
【０１５３】
さらに、ここでは、内側部材４２ａは、エンベロープから延びて外側部材４２ｂを貫通する延長部を備え、延長部はここでは管状である。この延長部は、特に、可動クロージャ４２ｄへのアクセスを確立して、その移動によりエンベロープ４０を充填または補充することを可能にするのに役立つ。
【０１５４】
図示されていない例示的な実施形態では、補充ポート４２およびプレス底部２５は、製品の寿命の終わりにエンベロープが完全につぶされないような相補形状を有する。
【０１５５】
図示されていないさらに別の例示的な実施形態によれば、補充ポートを介してエンベロープに製品を注入することによって補充を提供する代わりに、エンベロープが別のエンベロープに置き換えられる。
【０１５６】
この場合、補充ポートは、例えば、工場内のエンベロープの最初の充填のためにのみ役立つか、またはエンベロープに補充ポートがない場合がある。
【０１５７】
このため、供給ヘッド６０は、ストッパ７０を開閉するように構成される。
【０１５８】
したがって、製品ディスペンサ５０は、（例えば図５に示されるように）ストッパが開いて、製品が供給される開放構成と、ストッパが閉じられた（図１および図６に示すような）閉鎖構成とを有するように構成される。
【０１５９】
製品ディスペンサ５０は、供給ヘッド６０を安定した位置からヘッドプレート７４を駆動する不安定位置に移動させることによって、閉鎖構成から開放構成に移行し、供給ヘッド６０は、特にリターン部材７３の働きにより、不安定な位置から安定した位置に移行する。
【０１６０】
ここで、安定した位置は、高位置と呼ばれる位置に対応し、不安定な位置は、低位置と呼ばれる位置に対応する。
【０１６１】
言い換えれば、図示の実施形態では、使用者が押すと、供給ヘッド６０は安定した位置から不安定な位置に移行する。
【０１６２】
これにより、ストッパ７０は、供給ヘッドを垂直方向または斜め方向に押すプレスによって開かれる。
【０１６３】
より具体的には、供給ヘッド６０の移動により、ヘッドプレート７４を介して、図５に示すように、ベローズ７２の上部ネック７２ａとクロージャ７１、特にプレート７１ａとの間の通路を開くベローズ７２がつぶされる。供給ヘッド６０が解放されると、リターン部材７３は、供給ヘッド６０を駆動するヘッドプレート７４を押し戻して、ベローズ７２の膨張を生じさせ、ベローズの上部ネック７２ａは、クロージャ７１、特にプレート７１ａに接触するように戻る。
【０１６４】
このように、ストッパを開くと、エンベロープは、エンベロープが受ける圧力の影響下で、供給ヘッドに向かって製品を供給する。
【０１６５】
記載された構成の変形例では、上記の可撓性エンベロープによって構成された可変容積を有する容器が、可撓性エンベロープの代わりに、例えば仏国特許第２８６９７７１号明細書に記載されているような装置、すなわち剛性部分から形成された容器であり、その一部は他の部分に対して可動である。この容器は、下方に向けられた開口部を有する円筒形の槽と、製品が供給されるにつれて徐々に槽内を移動する可動プレートとを備える。この場合、本発明の加圧システム８０は可動プレートに作用する。また、この場合、槽、プレス底部および／または内側ケーシングは単一の一体部材を形成することができる。
【０１６６】
したがって、可撓性エンベロープに関連して本明細書の文脈で提示されるすべての特徴を、変形可能な容器に想定することができる。
【０１６７】
別の変形例によれば、本出願の加圧システム８０は、発泡体ブロックと単独でまたは組み合わせて作用するばねまたは他の弾性戻り装置を備える。
【図１】
2018538102.tif 000003
【図２】
2018538102.tif 000004
【図３】
2018538102.tif 000005
【図４】
2018538102.tif 000006
【図５】
2018538102.tif 000007
【図６】
2018538102.tif 000008
【国際調査報告】
2018538102.tif 000009
2018538102.tif 000010
2018538102.tif 000011
2018538102.tif 000012